(57)【要約】【課題】          本発明の目的は、効率良く安定に圧電振動子の組み立てをすることが出来る圧電振動子の組み立て方法、及び組み立て装置を提供すること。【解決手段】          上記目的を達成する為本発明は、組み立て前の圧電振動子の圧電素板と導電性材料の位置関係、導電性材料の量、及び圧電素板の実装位置のデータと、組み立て後の先のそれぞれのデータを保存する記録媒体部から出力される同データが統計的に解析された統計的解析データと、組み立て装置内で組み立てられている同データを比較・演算して、圧電素板と導電性材料の相互の位置、導電性材料の量、及び圧電素板の実装位置を設定する工程（Ｓ１０１）と、設定された位置に、設定された量の導電性材料を塗布し、設定された位置に圧電素板を実装する組み立て工程（Ｓ１０２）と、同状態を検査する検査工程（Ｓ１０３）とにより成ることで課題を解決する。【選択図】  図１
2006157696.tif 000002
【特許請求の範囲】
【請求項１】
圧電振動子の組み立て方法において、
組み立て前の圧電振動子の圧電素板と導電性材料の位置関係、導電性材料の量、及び圧電素板の実装位置のデータと、組み立て後の該データを保存する記録媒体部から出力される該データが統計的に解析された統計的解析データと、組み立て装置内で組み立てられている該データを比較・演算して、圧電素板と導電性材料の相互の位置、導電性材料の量、及び圧電素板の実装位置を設定する工程（Ｓ１０１）と、
設定された位置に、設定された量の該導電性材料を塗布し、設定された位置に圧電素板を実装する組み立て工程（Ｓ１０２）と、
該圧電振動子の圧電素板と導電性材料の位置関係、導電性材料の量、及び圧電素板の実装位置を検査する検査工程（Ｓ１０３）と、により成る圧電振動子の組み立て方法。
【請求項２】
圧電振動子の組み立て装置において、
組み立て前の圧電振動子の圧電素板と導電性材料の位置関係、導電性材料の量、及び圧電素板の実装位置のデータと組み立て後の該データを保存する記録媒体部と、
該記録媒体部から出力される該データを統計的に解析して統計的解析データを作成し、該統計的解析データと該組み立て装置内で組み立てられている該圧電振動子の該データを比較・演算して異常品の発生の有無を検出し該組み立て装置の運転の停止/継続の状態を決める信号と、それぞれ設定された圧電素板と導電性材料の位置関係、導電性材料の量、及び圧電素板の実装位置を決める信号を出力する演算部と、
設定された位置に、設定された量の該導電性材料を塗布し、設定された位置に圧電素板を実装する組み立て部と、
により成ることを特徴とする圧電振動子の組み立て装置。
【発明の詳細な説明】
【技術分野】
【０００１】
本発明は、効率良く安定に圧電振動子の組み立てをすることが出来る圧電振動子の組み立て方法、及び組み立て装置に関する。
【背景技術】
【０００２】
近年、電子部品のひとつである圧電振動子は圧電素板を圧電振動子内部において片持ち支持の状態で、圧電素板の支持構造を構成して気密封止したものが一般的となっており、また、前記の圧電振動子をその容器内部に搭載し、加えて半導体部品などから成る発振回路を搭載した構成の水晶発振器は、より安定な周波数の制御基準信号発生器として、近年では特に移動体通信の携帯電話といった端末や基地局、及び画像処理などの分野で需要が増大し、その用途も急速に拡大しているのが現状である。
【０００３】
一方、最近の傾向では通信分野の伝送系装置等を中核として、その搭載部品についての非常に急激な市場からの小型化や低背化、更に加えて軽量化や低価格化などの要求があるのが現状であるが、そのために先の圧電素板を圧電振動子の容器内部において、片持ち支持の状態で支持構造を構成して気密封止した圧電振動子の外形形状をより小さく薄くできた圧電振動子、及びそれを搭載した小型の圧電発振器を製造することが一般的と成ってきている。
【０００４】
従来から表面実装型を含めて圧電振動子の圧電素板とそれを収納するセラミックなどから成る容器内に導電性ペーストといった導電性材料で接合して搭載する組み立て装置においては、一般的に以下のような実装プロセスによりその組み立てが行われていた。即ち、まず容器のパターンを画像認識して、この画像認識したデータを基にして導電性ペーストを容器内のパターン部に塗布し、次に搭載する圧電素板の外形を画像認識して、これらの画像認識したデータを基に圧電素板を容器に実装する。ここで、先の塗布された導電性ペーストの位置、及びその塗布面積を画像認識装置で認識・記録し規定の位置、及びその塗布面積の範囲内では無い場合それを判別し、また同様に実装された圧電素板の容器との相互の位置を認識・記録して規定の位置の範囲内では無い場合それを判別する機能を組み立て装置が有する場合もある。
【０００５】
従来から、一般的にその組み立て後の圧電振動子の特性と品質、及び生産歩留まりには次の三つの事項が大きく影響していた。その一つ目は圧電振動子の内部に搭載される圧電素板と導電性ペーストといった導電性材料の位置関係、二つ目は先の導電性材料の量、そして三つ目は圧電素板の圧電振動子の容器内に実装される位置であり、従来においてはこの組み立て工程全体における製品の管理項目は、組み立て工程を終えた時点での製品の生産歩留まり管理や、抜き取り検査によるものに限られるものであった。
【特許文献１】特開２００４−２９７３４８号公報
【０００６】
なお、出願人は前記した先行技術文献情報で特定される先行技術文献以外には、本発明に関連する先行技術文献を本件出願時までに発見するに至らなかった。
【発明の開示】
【発明が解決しようとする課題】
【０００７】
しかしながら、先述の従来の圧電振動子の組み立て方法、及び組み立て装置では、製品の組み立てを終えて最終的なその製品の特性検査を行うまで、圧電振動子の特性検査までを含めた実質の生産歩留まりが判らない。この為に工程中に組み立て装置に問題が生じても、その問題の発生が先述の最終的な特性検査の実施に至るまで判らず、その結果、例えば投入した生産ロット品の全てといった大量の組み立て不具合品を最終的に製造してしまうおそれがあるという問題があった。
【０００８】
また、従来の圧電振動子の組み立て方法、及び組み立て装置では、その組み立て工程の生産歩留まりが例えば生産ロット毎に大きく変動し不安定と成るおそれがあるといった問題があった。
【０００９】
本発明は、以上のような技術的背景のもとで成されたものであり、従ってその目的は、効率良く安定に圧電振動子の組み立てをすることが出来る圧電振動子の組み立て方法、及び組み立て装置を提供することである。
【課題を解決するための手段】
【００１０】
上記の目的を達成するために、本発明は、組み立て前の圧電振動子の圧電素板と導電性材料の位置関係、導電性材料の量、及び圧電素板の実装位置のデータと、組み立て後の先のそれぞれのデータを保存する記録媒体部から出力される同データが統計的に解析された統計的解析データと、組み立て装置内で組み立てられている同データを比較・演算して、圧電素板と導電性材料の相互の位置、導電性材料の量、及び圧電素板の実装位置を設定する工程（Ｓ１０１）と、設定された位置に、設定された量の導電性材料を塗布し、設定された位置に圧電素板を実装する組み立て工程（Ｓ１０２）と、圧電振動子の圧電素板と導電性材料の位置関係、導電性材料の量、及び圧電素板の実装位置を検査する検査工程（Ｓ１０３）とにより成る圧電振動子の組み立て方法であることを特徴とする。
【００１１】
また、圧電振動子の組み立て装置において、組み立て前の圧電振動子の圧電素板と導電性材料の位置関係、導電性材料の量、及び圧電素板の実装位置のデータと組み立て後の先のそれぞれのデータを保存する記録媒体部と、記録媒体部から出力される同データを統計的に解析して統計的解析データを作成し、同統計的解析データと組み立て装置内で組み立てられている圧電振動子の同データをそれぞれ比較・演算して異常品の発生の有無を検出し組み立て装置の運転の停止/継続の状態を決める信号と、それぞれ設定された圧電素板と導電性材料の位置関係、導電性材料の量、及び圧電素板の実装位置を決める信号を出力する演算部と、設定された位置に、設定された量の導電性材料を塗布し、設定された位置に圧電素板を実装する組み立て部とにより成る圧電振動子の組み立て装置であることを特徴とする。
【発明の効果】
【００１２】
本発明の圧電振動子の組み立て方法、及び組み立て装置によれば、非常に効率良く、また生産歩留まりの高い圧電振動子の組み立てを行うことが出来る。
【００１３】
また、著しく安定した生産歩留まりの圧電振動子の組み立てを実現することが出来る。
【００１４】
また、稼働中の組み立て装置での不具合を、従来に比べて著しく早期に発見することが出来、先の不具合の発生による被害の拡大を防ぐことが出来る。
【００１５】
また、圧電振動子の製造工程のひとつである組み立て工程の管理を著しく容易にすることが出来る。
【発明を実施するための最良の形態】
【００１６】
以下に図面を参照しながら本発明の実施の一形態について説明する。なお、各図においての同一の符号は同じ対象を示すものとする。
【実施例１】
【００１７】
図１は本発明の圧電振動子の組み立て方法の工程図である。即ち、まず組み立て前の圧電振動子の圧電素板と導電性材料の位置関係、導電性材料の量、及び圧電素板の実装位置のデータと、組み立て後の先のそれぞれのデータを保存する記録媒体部から出力される同データが統計的に解析された統計的解析データと、組み立て装置内で組み立てられている同データを比較・演算して、圧電素板と導電性材料の相互の位置、導電性材料の量、及び圧電素板の実装位置を設定する工程（Ｓ１０１）が行われ、次に設定された位置に、設定された量の導電性材料を塗布し、設定された位置に圧電素板を実装する組み立て工程（Ｓ１０２）が行われ、最後に圧電振動子の圧電素板と導電性材料の位置関係、導電性材料の量、及び圧電素板の実装位置を検査する検査工程（Ｓ１０３）が行われる。ここで、組み立てを終えた圧電振動子の圧電素板と導電性材料の位置関係、導電性材料の量、及び圧電素板の実装位置を検査し、その検査データを保存する記録媒体部１は、本発明の組み立て装置２内に組み込まれていなくても構わず、この場合においても本発明の技術的範囲に含まれることは言うまでも無い。
【００１８】
図２は本発明の組み立て装置２の正面模式図である。組み立て前の圧電振動子の圧電素板と導電性材料の位置関係、導電性材料の量、及び圧電素板の実装位置のデータと組み立て後のそれぞれの同データを保存する記録媒体部１と、この記録媒体部１から出力される同データを統計的に解析して統計的解析データを作成し、この統計的解析データと組み立て装置２内で組み立てられている圧電振動子の同データをそれぞれ比較・演算して異常品の発生の有無を検出し組み立て装置２の運転の停止/継続の状態を決める信号と、それぞれ設定された圧電素板と導電性材料の位置関係、導電性材料の量、及び圧電素板の実装位置を決める信号を出力する演算部３と、組み立て装置２の演算部３の出力信号により設定された位置に、設定された量の該導電性材料を塗布し、設定された位置に圧電素板を実装する組み立て部４とにより成るものである。
【００１９】
図３は本発明の組み立て装置の概念図である。即ち、ハードディスクといった記録媒体部１と演算部３を組み立て装置２に有し、圧電振動子の圧電素板と導電性材料の位置関係、導電性材料の量、及び圧電素板の実装位置のデータをそれぞれの特性データの分布など統計的に解析して統計的解析データを作成し、この統計的解析データと組み立て装置２内で実際に組み立てられている圧電振動子の圧電素板と導電性材料の位置関係、導電性材料の量、及び圧電素板の実装位置のデータとを常時、比較・演算することによって、実際に組み立て装置２において稼働中の圧電振動子の組み立ての状態、及び組み立て装置の不具合を早期に検出し発見して、組み立て装置２の運転の停止/継続の状態を決定し、また、それぞれ設定された圧電素板と導電性材料の位置関係、導電性材料の量、及び圧電素板の実装位置を決めることが出来るために、先の設定された条件とは異なる組み立てが成されてしまうといった不具合の発生による被害の拡大を確実に防ぐことが出来るものである。
【００２０】
図４は本発明の組み立て装置２の動作を示すブロックダイアグラムである。なお、図中のＨＤはハードディスクといった記録媒体の略称である。本発明の組み立て装置２により、著しく安定した生産歩留まりの圧電振動子の組み立てを実現することが出来、また、稼働中の組み立て装置２の不具合を早期に発見することが出来、従来発生のおそれがあった生産ロット品全ての不具合による損害の発生を無くし、不具合の発生による被害の拡大を確実に防ぐことが出来、また、圧電振動子の主要な製造工程のひとつである組み立て工程の管理を、組み立て装置２に直接携わる作業者の管理業務を減らすことが出来るなどその管理を著しく容易にすることが出来る。
【００２１】
なお、本発明の圧電振動子の組み立て装置は、圧電発振器の組み立て装置に搭載しても構わず、この場合においても、また、その他の電子部品の組み立てに使用される場合においても本発明の技術的範囲に含まれることは言うまでも無い。また、設定される項目が、実施例１の場合の圧電素板と導電性材料の位置関係、導電性材料の量、及び圧電素板の実装位置に限られるものでは無く、その内のひとつであっても、また更に項目を増しても構わず、これらの場合においても本発明の技術的範囲に含まれることは言うまでも無い。
【００２２】
図５は従来の組み立て装置の動作を示すブロックダイアグラムである。従来は組み立て装置に投入する生産ロット品全ての同一の不具合による損害の発生のおそれがあった。
【図面の簡単な説明】
【００２３】
【図１】本発明の組み立て方法の工程図である。
【図２】本発明の組み立て装置の正面模式図である。
【図３】本発明の組み立て装置の概念図である。
【図４】本発明の組み立て装置の動作を示すブロックダイアグラムである。
【図５】本発明の従来の組み立て装置の動作を示すブロックダイアグラムである。
【符号の説明】
【００２４】
１  記録媒体部
２  組み立て装置
３  演算部
４  組み立て部
【図１】
2006157696.tif 000003
【図２】
2006157696.tif 000004
【図３】
2006157696.tif 000005
【図４】
2006157696.tif 000006
【図５】
2006157696.tif 000007